(57)【要約】【課題】  多数個の領域を含み、各領域間に転移領域を備えてデータ再生を円滑に行わせる光情報記録媒体に情報を記録及び／又は再生する方法を提供することを目的とする。【解決手段】  光情報記録媒体に情報を記録する方法において、前記媒体にリードイン領域、ユーザデータ領域及びリードアウト領域を形成する段階と、前記リードイン領域を第１トラックピッチを有する第１サブ領域及び第１トラックピッチと異なる第２トラックピッチを有する第２サブ領域に分け、第１及び第２サブ領域を連結する転移領域を配置する段階と、前記第１及び第２サブ領域、ユーザデータ領域、リードアウト領域のうち少なくとも一つの領域に情報を記録する段階とを含むことを特徴とする。【選択図】      図１３
2008159258.tif 000002
【特許請求の範囲】
【請求項１】
光情報記録媒体に情報を記録する方法において、
前記媒体にリードイン領域、ユーザデータ領域及びリードアウト領域を形成する段階と、
前記リードイン領域を第１トラックピッチを有する第１サブ領域及び第１トラックピッチと異なる第２トラックピッチを有する第２サブ領域に分け、第１及び第２サブ領域を連結する転移領域を配置する段階と、
前記第１及び第２サブ領域、ユーザデータ領域、リードアウト領域のうち少なくとも一つの領域に情報を記録する段階とを含む情報記録方法。
【請求項２】
前記第１サブ領域にはディスク関連情報または複写防止情報が記録されることを特徴とする請求項１に記載の情報記録方法。
【請求項３】
前記ディスク関連情報はディスク種類、情報記録層数、ディスクのサイズに関する情報であることを特徴とする請求項２に記載の情報記録方法。
【請求項４】
前記第１サブ領域のトラックピッチが第２サブ領域のトラックピッチより大きいことを特徴とする請求項２または３に記載の情報記録方法。
【請求項５】
前記光情報記録媒体は再生専用媒体であることを特徴とする請求項１に記載の情報記録方法。
【請求項６】
リードイン領域、ユーザデータ領域及びリードアウト領域は情報がピットで記録されることを特徴とする請求項５に記載の情報記録方法。
【請求項７】
リードイン領域、ユーザデータ領域及びリードアウト領域を含み、前記リードイン領域は記録媒体の種類に対する情報、記録層数に対する情報及びディスクサイズ情報を含むディスク関連情報が記録された第１トラックピッチを有する第１領域と第１トラックピッチと異なる第２トラックピッチを有する第２領域を含み、前記第１領域と第２領域との間に転移領域を備える情報記録媒体を再生する方法において、
前記リードイン領域の第１領域のディスク関連情報を再生する段階と、
前記リードイン領域の第１領域以外の少なくとも一つの領域に記録された情報を再生する段階とを含むことを特徴とする記録媒体の再生方法。
【請求項８】
前記第１領域にはディスク関連情報または複写防止情報が記録されることを特徴とする請求項７に記載の再生方法。
【請求項９】
前記ディスク関連情報はディスク種類、情報記録層数、ディスクのサイズに関する情報であることを特徴とする請求項８に記載の再生方法。
【請求項１０】
前記第１領域のトラックピッチが第２領域のトラックピッチより大きいことを特徴とする請求項８または９に記載の再生方法。
【請求項１１】
前記光情報記録媒体は再生専用媒体であることを特徴とする請求項７に記載の再生方法。
【請求項１２】
リードイン領域、ユーザデータ領域及びリードアウト領域は情報がピットで記録されることを特徴とする請求項１１に記載の再生方法。
【発明の詳細な説明】
【技術分野】
【０００１】
本発明は、再生専用の光情報記録媒体、情報保存／再生方法、及び記録／再生装置に係り、さらに詳細には記録媒体を構成する各領域のうち２つの隣接した領域間を連結するための転移領域を含んだ光情報記録媒体、前記光情報記録媒体に／からデータを記録／再生する方法及び装置に関する。
【背景技術】
【０００２】
光情報記録媒体、例えば光ディスクは、非接触式で情報を記録／再生する光ピックアップ装置の情報記録媒体として広く採用され、情報記録容量により、コンパクトディスク（ＣＤ）、デジタル多機能ディスク（ＤＶＤ）に区分される。そして、記録、消去及び再生が可能な光ディスクとしては、６５０ＭＢ  ＣＤ−Ｒ、ＣＤ−ＲＷ、４．７ＧＢ  ＤＶＤ＋ＲＷなどがある。さらには、記録容量が２３ＧＢであるＨＤ−ＤＶＤも開発されている。
【０００３】
ところで、前記のような多種の光情報記録媒体は、互換性を介してユーザにより多くの便宜を提供するか、または経済性を考慮し、記録媒体の種類別に標準化された規格を有しており、まだ規格の決まっていない記録媒体については、標準化のための努力が進められている。従って、標準化のために、既存に出回っている記録媒体との互換性や一貫性などを確保させる方向にフォーマットについての開発が要求される。
【０００４】
従来の再生専用光ディスクは、ＢＣＡ（バーストカッティングエリア）、リードイン領域、ユーザデータ領域及びリードアウト領域を含む。前記ＢＣＡには、光ディスクの一連番号についての情報が記録され、前記リードイン領域には、ディスク関連情報が記録される。ここで、光ディスクの一連番号は、バーコードで記録される。
【０００５】
一方、従来の再生専用光ディスクには、前記ＢＣＡ、リードイン領域、ユーザデータ領域及びリードアウト領域が、各領域間の境界領域に転移領域なく連続的に配列されている。ところで、前記ＢＣＡ、リードイン領域そしてユーザデータ領域のフィートが、相異なるピットパターンで形成されるとき、転移領域なく連続的にデータを再生するならば、データ再生に問題が発生じうる。
【発明の開示】
【発明が解決しようとする課題】
【０００６】
本発明は、前記の問題点を解決するために案出され、多数個の領域を含み、各領域間に転移領域を備えてデータ再生を円滑に行わせる光情報記録媒体を提供するところに目的がある。
【０００７】
前記目的を達成するために、本発明による光情報記録媒体は、多数個の領域と、少なくとも１つの転移領域を含む再生専用の情報記録媒体を提供することを目的とする。各転移領域は２つの隣接領域間に位置する。
【０００８】
また、前記多数個の領域と転移領域とにデータがピットで記録されうる。
【０００９】
ここで、前記転移領域のピットパターンは、前記転移領域の前にある領域のピットパターンと同一であるか、または前記転移領域の後にある領域のピットパターンと同一でありうる。
【００１０】
また、前記転移領域がミラー領域で形成可能である。また、前記転移領域のピットがストレートパターンまたはウォッブルパターンで形成可能である。また、前記転移領域でのピットのトラックピッチと、隣接領域にあるピットのトラックピッチとが同一でありうる。前記転移領域でのピットのトラックピッチと、隣接領域にあるピットのトラックピッチとが異なることがある。前記転移領域に形成されたピットのトラックピッチが、転移領域の前にある領域に形成されたピットのトラックピッチから転移領域の後にある領域に形成されたピットのトラックピッチまでだんだんと大きくなるか、または小さくなることが望ましい。
【課題を解決するための手段】
【００１１】
前記の目的を達成するために、本発明による光情報記録媒体は、ＢＣＡ；リードイン領域；ユーザデータ領域；リードアウト；及び前記ＢＣＡとリードイン領域との間、前記リードイン領域とユーザデータ領域との間及び前記ユーザデータ領域とリードアウト領域との間のうち少なくとも１ヵ所に位置した転移領域を含む再生専用の光情報記録媒体を提供することを特徴とする。前記ＢＣＡ、リードイン領域、ユーザデータ領域、及びリードアウト領域は、ピットで形成される。
【００１２】
また、前記ＢＣＡと前記リードイン領域との間に第１転移領域が備わり、前記ＢＣＡ、リードイン領域及び第１転移領域は、それぞれストレートパターンまたはウォッブルパターンのピットで形成可能である。
【００１３】
また、前記リードイン領域とユーザデータ領域との間に第２転移領域が備わり、前記リードイン領域、ユーザデータ領域及び第２転移領域は、それぞれストレートパターンまたはウォッブルパターンのピットで形成可能である。
【００１４】
一方、前記第１転移領域または第２転移領域に形成されたピットがウォッブルパターンで形成されるとき、ウォッブルの振幅がだんだんと小さくなるか、または大きくなりうる。
【００１５】
前記目的を達成するために、本発明による光情報記録媒体は、ＢＣＡ、リードイン領域、ユーザデータ領域及びリードアウト領域及び転移領域を含む。少なくとも１つのＢＣＡ、リードイン領域、ユーザデータ領域、及びリードアウト領域が複数のサブ領域に分けられている。前記転移領域は、２つの隣接したサブ領域間に位置する。
【００１６】
本発明によれば、再生専用の光情報記録媒体上に情報を記録する方法として、前記光情報記録媒体上に複数の領域を形成するステップと、光情報記録媒体上に少なくとも１つの転移領域を形成するステップとを含む方法が提供される。
【００１７】
本発明によれば、再生専用の光情報記録媒体を利用するための記録装置であり、再生専用の光情報記録媒体上にデータを記録する記録ユニットと、再生専用の光情報記録媒体上に複数の領域を形成するために記録ユニットを制御し、２つの隣接領域間に少なくとも１つの転移領域を形成するために記録ユニットを制御する制御部とを含む装置を提供する。
【００１８】
本発明の付加的な側面及び／または利点は、後述の説明で記述されて明確になり、本発明の実施により得られうる。
【発明を実施するための最良の形態】
【００１９】
本発明の実施形態について参照が詳細になされ、例示が添付された図面に図示され、類似の参照番号は、類似の要素を表す。本発明の実施形態が図面を参照して説明される。
【００２０】
本発明のさまざまな実施形態による光情報記録媒体は、再生専用に使われる記録媒体に適用され、記録媒体の全領域がピットからなっている。そして、本発明による光情報記録媒体は、機能によって多数個の領域に分かれうる。例えば、図１に図示されているように、光情報記録媒体の内周側から、ＢＣＡ（バーストカッティングエリア）１０、リードイン領域２０、ユーザデータが記録されるデータ領域３０、リードアウト領域４０に分けられる。
【００２１】
ＢＣＡ  １０には、光情報記録媒体、例えば光ディスクの一連番号が記録されるか、またはＢＣＡ領域というデータが記録される。リードイン領域２０には、ディスク関連情報や複写防止情報などが記録される。ディスク関連情報としては、例えば記録可能型ディスク、追記型ディスク、再生専用ディスクのような記録媒体の種類についての情報、記録層数についての情報、記録速度情報、ディスクサイズ情報のようなものがある。
【００２２】
本発明の第１実施形態による光情報記録媒体は、ＢＣＡ  １０とリードイン領域２０との間に第１転移領域が備わる。
【００２３】
まず、ＢＣＡ  １０にデータが第１ストレートピットで記録され、リードイン領域２０にデータが前記第１ストレートピットと異なるパターンを有する第２ストレートピットまたはウォッブルピットで記録される場合がありうる。また、ＢＣＡ  １０にデータが第１ウォッブルピットで記録され、リードイン領域２０にデータが前記第１ウォッブルピットと異なるパターンを有する第２ウォッブルピットまたはストレートピットで記録される場合がありうる。ここで、ストレートピットは、ピットが直線型に配列されている場合を表し、ウォッブルピットは、ピットが波型に配列されている場合を表す。
【００２４】
前記第１及び第２ストレートピットと第１及び第２ウォッブルピットは、単一パターン、特定パターンまたはランダムパターンで配列されうる。単一パターンは、ｎＴの同じ長さを有するピットが一定間隔に配列されているパターンを意味する。ここで、ｎは自然数を、Ｔはピットの最小長さを表す。例えば、ストレート単一パターンは、単一パターンが直線型に配列されている場合を表し、ウォッブル単一パターンは、単一パターンが波型に配列されている場合を表す。特定パターンは、異なる長さを有するピットの配列が反復的に現れるパターンをいう。例えば、３Ｔと６Ｔとの組み合わせによるピットパターンが反復的に配列されうる。ここで、ストレート特定パターンは、特定パターンが直線型に配列されている場合を表し、ウォッブル特定パターンは、特定パターンが波型に配列されている場合を表す。そして、ランダムパターンのピットは、異なる長さを有するピットの配列が不規則的になされたパターンを意味する。例えば、ストレートランダムパターンは、ランダムパターンが直線型に配列されている場合を表し、ウォッブルランダムパターンは、ランダムパターンが波型に配列されている場合を表す。
【００２５】
一方、ＢＣＡ  １０とリードイン領域２０との間に、第１転移領域１５が形成される。第１転移領域１５は、ＢＣＡ  １０とリードイン領域２０のパターンが相異なるために、データの連続的な再生が円滑になされえないことに対応して備わる。そして、第１転移領域１５には、転移領域という情報が記録される。
【００２６】
以下、ＢＣＡ  １０、第１転移領域１５及びリードイン領域２０に形成されるピットのパターンを具体的に説明する。
【００２７】
図２Ａないし図２Ｅは、ＢＣＡ  １０がストレート単一パターンで形成され、リードイン領域２０がストレートランダムパターンで形成されている場合に、第１転移領域１５に形成されたピットパターンの例を図示した図である。
【００２８】
図２Ａに図示されているように、ＢＣＡ  １０にデータがストレート単一パターンのピットで記録され、リードイン領域２０にデータがストレートランダムパターンのピットで記録され、ＢＣＡ  １０とリードイン領域２０との間に、ストレート単一パターンで形成された第１転移領域１５が備わる。また、第１転移領域１５をウォッブル単一パターンのピット（図示せず）で形成することも可能である。
【００２９】
図２Ｂに図示されているように、ＢＣＡ  １０にデータがストレート単一パターンのピットで記録され、リードイン領域２０にデータがストレートランダムパターンのピットで記録され、ＢＣＡ  １０とリードイン領域２０との間に、ストレートランダムパターンのピットで形成された第１転移領域１５が備わる。また、第１転移領域１５をウォッブルランダムパターンのピット（図示せず）で形成することも可能である。
【００３０】
図２Ｃに図示されているように、ＢＣＡ  １０にデータがストレート単一パターンのピットで記録され、リードイン領域２０にデータがストレートランダムパターンのピットで記録され、ＢＣＡ  １０とリードイン領域２０との間に、ミラー領域で形成された第１転移領域１５が備わる。
【００３１】
図２Ｄに図示されているように、ＢＣＡ  １０にデータがストレート単一パターンのピットで記録され、リードイン領域２０にデータがストレートランダムパターンのピットで記録され、ＢＣＡ  １０とリードイン領域２０との間に、ストレート特定パターンのピットで形成された第１転移領域１５が備わる。
【００３２】
また、第１転移領域１５のピットをウォッブル単一パターン、ウォッブルランダムパターンまたはウォッブル特定パターンで形成することも可能である。図２Ｅに、第１転移領域１５がウォッブルランダムパターンで形成されている場合を図示した。
【００３３】
図２Ａないし図２Ｅで、ＢＣＡ  １０がストレート単一パターンのピットで形成されている場合を例示したが、ＢＣＡ  １０がウォッブル単一パターンで形成されている場合にも、同一に適用可能である。
【００３４】
次に、図３Ａないし図３Ｅは、ＢＣＡ  １０がストレート特定パターンで形成され、リードイン領域２０がストレートランダムパターンで形成されている場合に、第１転移領域１５に形成されたピットパターンの例を図示した図である。図３Ａに図示されているように、第１転移領域１５がストレート単一パターンで形成されるか、または図３Ｂに図示されているように、第１転移領域１５がストレートランダムパターンで形成されるか、または図３Ｃに図示されているように、第１転移領域１５がミラー領域で形成されるか、または図３Ｄに図示されているように、第１転移領域１５がストレート特定パターンで形成可能である。図３Ｅに、第１転移領域１５がウォッブルランダムパターンで形成されている場合を図示した。一方、図示されていないが、第１転移領域１５のピットをウォッブル単一パターン、ウォッブルランダムパターンまたはウォッブル特定パターンで形成することも可能である。
【００３５】
図４Ａないし図４Ｅは、ＢＣＡ  １０がストレートランダムパターンで形成され、リードイン領域２０がストレートランダムパターンで形成されている場合に、第１転移領域１５に形成されたピットパターンの例を図示した図である。図４Ａに図示されているように、第１転移領域１５がストレート単一パターンで形成されるか、または図４Ｂに図示されているように、第１転移領域１５がストレートランダムパターンで形成されるか、または図４Ｃに図示されているように、第１転移領域１５がミラー領域で形成されるか、または図４Ｄに図示されているように、第１転移領域１５がストレート特定パターンで形成可能である。また、第１転移領域１５のピットをウォッブル単一パターン、ウォッブルランダムパターンまたはウォッブル特定パターンで形成することも可能である。図４Ｅに、第１転移領域１５がウォッブルランダムパターンで形成されている場合を図示した。一方、図示されていないが、ＢＣＡ  １０をストレートランダムパターンのピットの代わりに、ウォッブルランダムパターンのピットで形成可能である。
【００３６】
前記のように、ＢＣＡ  １０がストレートランダムパターンまたはウォッブルランダムパターンで形成されるとき、例えば００ｈやＢＣＡという内容の情報が記録されうる。
【００３７】
以上の説明では、ＢＣＡ  １０がストレートパターンのピットで形成されている場合だけを説明したが、ウォッブルパターンのピットで形成されることもある。例えば、ＢＣＡ  １０がウォッブル単一パターン、ウォッブル特定パターンまたはウォッブルランダムパターンで形成可能である。
【００３８】
一方、ＢＣＡ  １０がストレートパターンまたはウォッブルパターンのピットで記録され、リードイン領域２０がウォッブルパターンのピットで記録される場合がありうる。
【００３９】
図５Ａないし図５Ｅは、ＢＣＡ  １０がストレート単一パターンで形成され、リードイン領域２０がウォッブルランダムパターンで形成されている場合に、ＢＣＡ  １０とリードイン領域２０との間に第１転移領域１５に形成されたピットパターンの例を図示した図である。図５Ａに図示されているように、第１転移領域１５がストレート単一パターンで形成されるか、または図５Ｂに図示されているように、第１転移領域１５がストレートランダムパターンで形成可能である。また、図５Ｃに図示されているように、第１転移領域１５がミラー領域で形成されるか、または図５Ｄに図示されているように、第１転移領域１５がストレート特定パターンで形成可能である。また、第１転移領域１５がウォッブル単一パターン、ウォッブル特定パターンまたはウォッブルランダムパターンで形成可能である。例えば、図５Ｅに図示されているように、第１転移領域１５がウォッブルランダムパターンのピットで形成可能である。一方、図５Ａないし図５Ｅに例示されている場合は、ＢＣＡ  １０がストレート単一パターンで形成されている場合であるが、ウォッブル単一パターンで形成されることもある。
【００４０】
図６Ａないし図６Ｅは、ＢＣＡ  １０がストレート特定パターンで形成され、リードイン領域２０がウォッブルランダムパターンで形成されている場合に、第１転移領域１５に形成されたピットパターンの例を図示した図である。図６Ａに図示されているように、第１転移領域１５がストレート単一パターンで形成されるか、または図６Ｂに図示されているように、第１転移領域１５がストレートランダムパターンで形成されるか、または図６Ｃに図示されているように、第１転移領域１５がミラー領域で形成されるか、または図６Ｄに図示されているように、第１転移領域１５がストレート特定パターンで形成可能である。また、図６Ａ、図６Ｂ、図６Ｄに図示されている例に示されている第１転移領域１５をウォッブル単一パターン、ウォッブル特定パターンまたはウォッブルランダムパターンに替えて形成することも可能である。例えば、第１転移領域１５がウォッブルランダムパターンのピットで形成されている場合を図６Ｅに図示した。ここで、ＢＣＡ  １０がストレート特定パターンで形成されている場合を説明したが、ウォッブル特定パターンで形成されることもある。
【００４１】
図７Ａないし図７Ｅは、ＢＣＡ  １０がストレートランダムパターンで形成され、リードイン領域２０がウォッブルランダムパターンで形成されている場合に、第１転移領域１５に形成されたピットパターンの例を図示した図である。図７Ａに図示されているように、第１転移領域１５がストレート単一パターンで形成されるか、または図７Ｂに図示されているように、第１転移領域１５がストレートランダムパターンで形成可能である。また、図７Ｃに図示されているように、第１転移領域１５がミラー領域で形成されるか、または図７Ｄに図示されているように、第１転移領域１５がストレート特定パターンで形成可能である。また、図７Ａ、図７Ｂ、図７Ｄに図示されている例に示された第１転移領域１５をウォッブル単一パターン、ウォッブル特定パターンまたはウォッブルランダムパターンに替えて形成することも可能である。例えば、第１転移領域１５がウォッブルランダムパターンのピットで形成されている場合を図７Ｅに図示した。ここで、ＢＣＡ  １０がストレートランダムパターンで形成されている場合を説明したが、ウォッブルランダムパターンで形成されることもある。このように、ＢＣＡ  １０がストレートランダムパターンまたはウォッブルランダムパターンで形成されるとき、例えば００ｈやＢＣＡという内容の情報が記録されうる。
【００４２】
さらに、ＢＣＡ  １０、第１転移領域１５またはリードイン領域２０がウォッブルパターンのピットで形成されるとき、ウォッブルの振幅がだんだんと大きくなるか、または小さくなるように形成可能である。特に、図７Ｆに図示されているように、第１転移領域１５がウォッブルパターンのピットで形成されるとき、ウォッブルの振幅がだんだんと大きくなるようにできる。
【００４３】
一方、ＢＣＡ  １０、第１転移領域１５及びリードイン領域２０に形成されたトラックのピッチがいずれも同一に形成可能である。または、ＢＣＡ  １０、第１転移領域１５及びリードイン領域２０に形成されたトラックのピッチが異なるように形成可能である。例えば、ＢＣＡ  １０と第１転移領域１５のトラックピッチが同一であり、リードイン領域２０のトラックピッチが異なるように形成可能である。また、第１転移領域１５とリードイン領域２０のトラックピッチと同一であり、ＢＣＡ  １０のトラックピッチが異なるように形成可能である。また、ＢＣＡ  １０とリードイン領域２０のトラックピッチが異なるとき、第１転移領域１５のトラックピッチがだんだんと小さくなるか、または大きくなるように形成可能である。言い換えれば、ＢＣＡ  １０でのトラックピッチがａであり、リードイン領域２０でのトラックピッチがｂであり、ａ＜ｂであるとき、第１転移領域でのトラックピッチがａからｂまでだんだんと大きくなるように形成される。
【００４４】
次に、本発明の第２実施形態による光情報記録媒体は、ＢＣＡ  １０、リードイン領域２０、ユーザデータ領域３０及びリードアウト領域４０を備え、リードイン領域２０とデータ領域３０との間に第２転移領域２５が備わる。
【００４５】
以下、リードイン領域２０、第２転移領域２５及びリードアウト領域３０に形成されるピットのパターンを具体的に説明する。
【００４６】
まず、リードイン領域２０が第３ストレートパターンのピットで形成され、データ領域３０が第４ストレートパターンのピットで形成されている場合に、第２転移領域２５がストレート単一パターン、ストレート特定パターン、ストレートランダムパターン、ウォッブル単一パターン、ウォッブル特定パターン、ウォッブルランダムパターンまたはミラー領域で形成可能である。
【００４７】
前記第３及び第４ストレートパターンは、ストレート単一パターン、ストレート特定パターン及びストレートランダムパターンのうちいずれか一つでありうる。
【００４８】
図８Ａないし図８Ｆは、リードイン領域２０がストレートランダムパターンで形成され、データ領域３０がストレートランダムパターンで形成されている場合に、第２転移領域２５に形成されたピットパターンの例を図示した図である。図８Ａに図示されているように、第２転移領域２５がストレート単一パターンで形成されるか、または図８Ｂに図示されているように、第２転移領域２５がストレートランダムパターンで形成可能である。また、図８Ｃに図示されているように、第２転移領域２５がミラー領域で形成されるか、または図８Ｄに図示されているように、第２転移領域２５がストレート特定パターンで形成可能である。また、第２転移領域２５のピットをウォッブル単一パターン、ウォッブルランダムパターンまたはウォッブル特定パターンで形成することも可能である。例えば、第２転移領域２５がウォッブルランダムパターンで形成された例が図８Ｅに図示されている。
【００４９】
ここで、第２転移領域２５がウォッブルパターンで形成されるとき、図８Ｆに図示されているように、ウォッブルの振幅がだんだんと小さくなるようにすることができる。
【００５０】
次に、リードイン領域２０がウォッブルパターンのピットで形成され、データ領域３０がストレートパターンのピットで形成されるとき、リードイン領域２０とデータ領域３０との間に、第２転移領域２５が形成されている場合について説明する。
【００５１】
リードイン領域２０は、ウォッブル単一パターン、ウォッブル特定パターンまたはウォッブルランダムパターンで形成され、データ領域３０は、ストレート単一パターン、ストレート特定パターンまたはストレートランダムパターンの形成が可能である。
【００５２】
図９Ａないし図９Ｆは、リードイン領域２０がウォッブルランダムパターンで形成され、データ領域３０がストレートランダムパターンで形成されている場合に、第２転移領域２５に形成されたピットパターンの例を図示した図である。図９Ａに図示されているように、第２転移領域２５がストレート単一パターンで形成されるか、または図９Ｂに図示されているように、第２転移領域２５がストレートランダムパターンで形成可能である。また、図９Ｃに図示されているように、第２転移領域２５がミラー領域で形成されるか、または図９Ｄに図示されているように、第２転移領域２５がストレート特定パターンで形成可能である。また、第２転移領域２５のピットをウォッブル単一パターン、ウォッブルランダムパターンまたはウォッブル特定パターンで形成することも可能である。例えば、第２転移領域２５がウォッブルランダムパターンで形成された例が図９Ｅに図示されている。
【００５３】
ここで、第２転移領域２５がウォッブルパターンで形成されるとき、図９Ｆに図示されているように、ウォッブルの振幅がだんだんと小さくなるようにできる。
【００５４】
次に、リードイン領域２０がストレートパターンのピットで形成され、データ領域３０がウォッブルパターンのピットで形成されるとき、リードイン領域２０とデータ領域３０との間に、第２転移領域２５が形成されている場合について説明する。
【００５５】
リードイン領域２０は、ストレート単一パターン、ストレート特定パターンまたはストレートランダムパターンで形成され、データ領域３０は、ウォッブル単一パターン、ウォッブル特定パターンまたはウォッブルランダムパターンの形成が可能である。
【００５６】
図１０Ａないし図１０Ｆは、リードイン領域２０がストレートランダムパターンで形成され、データ領域３０がウォッブルランダムパターンで形成されている場合に、第２転移領域２５に形成されたピットパターンの例を図示した図である。図１０Ａに図示されているように、第２転移領域２５がストレート単一パターンで形成されるか、または図１０Ｂに図示されているように、第２転移領域２５がストレートランダムパターンで形成可能である。また、図１０Ｃに図示されているように、第２転移領域２５がミラー領域で形成されるか、または図１０Ｄに図示されているように、第２転移領域２５がストレート特定パターンで形成可能である。また、第２転移領域２５のピットをウォッブル単一パターン、ウォッブルランダムパターンまたはウォッブル特定パターンで形成することも可能である。例えば、第２転移領域２５がウォッブルランダムパターンで形成された例が図１０Ｅに図示されている。
【００５７】
ここで、第３転移領域２７がウォッブルパターンで形成されるとき、図１０Ｆに図示されているように、ウォッブルの振幅がだんだんと大きくなるようにできる。
【００５８】
また、リードイン領域２０とデータ領域３０とがウォッブルパターンのピットで形成されるとき、リードイン領域２０とデータ領域３０との間に備わった第２転移領域２５がウォッブル単一パターン、ウォッブル特定パターン、ウォッブルランダムパターン、ストレート単一パターン、ストレート特定パターン、ストレートランダムパターンまたはミラー領域で形成可能である。
【００５９】
さらに、リードイン領域２０、第２転移領域２５またはデータ領域３０がウォッブルパターンのピットで形成されるとき、ウォッブルの振幅がだんだんと大きくなるか、または小さくなるように形成可能である。
【００６０】
一方、リードイン領域２０、第２転移領域２５及びデータ領域３０に形成されたトラックのピッチがいずれも同一に形成可能である。または、リードイン領域２０、第２転移領域２５及びデータ領域３０に形成されたトラックのピッチが異なるように形成可能である。例えば、リードイン領域２０と第２転移領域２５のトラックピッチが同一であり、データ領域３０のトラックピッチは異なるように形成可能である。また、第２転移領域２５とデータ領域３０のトラックピッチが同一であり、リードイン領域２０のトラックピッチが異なるように形成可能である。また、リードイン領域２０とデータ領域３０のトラックピッチが異なるとき、第２転移領域２５のトラックピッチがだんだんと小さくなるか、または大きくなるように形成可能である。言い換えれば、リードイン領域２０でのトラックピッチがｃであり、データ領域３０でのトラックピッチがｄであり、ｃ＜ｄであるとき、第２転移領域２５でのトラックピッチがｃからｄまでだんだんと大きくなるように形成される。
【００６１】
次に、本発明の第３実施形態による光情報記録媒体は、多数個の領域に分けられ、多数個の領域のうち少なくとも一領域が機能によって多数個の小領域に分けられ、前記多数個の小領域間に第３転移領域が備わることを特徴とする。本発明による光情報記録媒体は、図１１に図示されているように、例えば、ＢＣＡ  １０、リードイン領域２０、ユーザデータ領域３０及びリードアウト領域４０を備え、リードイン領域２０が第１領域２０ａと第２領域２０ｂとを含む。
【００６２】
ＢＣＡ  １０とリードイン領域２０との間、リードイン領域２０とデータ領域３０との間に転移領域が備わることがあるが、それら転移領域については、第１及び第２実施形態から説明したところと同一に適用されうる。
【００６３】
一方、リードイン領域２０の第１領域２０ａと第２領域２０ｂとの間に、第３転移領域２７が備わる。第１領域２０ａ、第２領域２０ｂ、第３転移領域２７に形成されるピットのパターンについて具体的に説明する。
【００６４】
第１及び第２領域２０ａは、ストレートパターンまたはウォッブルパターンのピットで形成可能である。ストレートパターンは、ストレート単一パターン、ストレート特定パターンまたはストレートランダムパターンでありうる。ウォッブルパターンは、ウォッブル単一パターン、ウォッブル特定パターンまたはウォッブルランダムパターンでありうる。
【００６５】
例えば、第１領域２０ａがストレートパターンのピットで形成され、第２領域２０ｂがウォッブルパターンのピットで形成されるとき、第１領域２０ａと第２領域２０ｂとの間に、第３転移領域２７が形成されている場合について説明する。
【００６６】
図１２Ａないし図１２Ｆは、第１領域２０ａがストレートランダムパターンで形成され、第２領域２０ｂがウォッブルランダムパターンで形成されている場合に、第３転移領域２７に形成されたピットパターンの例を図示した図である。図１２Ａに図示されているように、第３転移領域２７がストレート単一パターンで形成されるか、または図１２Ｂに図示されているように、第３転移領域２７がストレートランダムパターンで形成可能である。また、図１２Ｃに図示されているように、第３転移領域２７がミラー領域で形成されるか、または図１２Ｄに図示されているように、第３転移領域２７がストレート特定パターンで形成可能である。また、第３転移領域２７のピットをウォッブル単一パターン、ウォッブルランダムパターンまたはウォッブル特定パターンで形成することも可能である。例えば、第３転移領域２７がウォッブルランダムパターンで形成されている例が図１２Ｅに図示されている。ここで、第３転移領域２７がウォッブルパターンで形成されるとき、ウォッブルの振幅がだんだんと大きくなるか、または小さくなるようにできる。例えば、第３転移領域２７がウォッブルランダムパターンで形成されるとき、図１２Ｆに図示されているように、ウォッブルの振幅がだんだんと大きくなるようにすることが望ましい。
【００６７】
また、第１領域２０ａがウォッブルパターンのピットで形成され、第２領域２０ｂがストレートパターンのピットで形成されるとき、第１領域２０ａと第２領域２０ｂとの間に備わった第３転移領域２７がウォッブル単一パターン、ウォッブル特定パターン、ウォッブルランダムパターン、ストレート単一パターン、ストレート特定パターン、ストレートランダムパターンまたはミラー領域で形成可能である。
【００６８】
また、第１領域２０ａがストレートパターンのピットで形成され、第２領域２０ｂがストレートパターンのピットで形成されるとき、第１領域２０ａと第２領域２０ｂとの間に備わった第３転移領域２７がウォッブル単一パターン、ウォッブル特定パターン、ウォッブルランダムパターン、ストレート単一パターン、ストレート特定パターン、ストレートランダムパターンまたはミラー領域で形成可能である。
【００６９】
また、第１領域２０ａ及び第２領域２０ｂがウォッブルパターンのピットで形成されるとき、第１領域２０ａと第２領域２０ｂとの間に備わった第３転移領域２７がウォッブル単一パターン、ウォッブル特定パターン、ウォッブルランダムパターン、ストレート単一パターン、ストレート特定パターン、ストレートランダムパターンまたはミラー領域で形成可能である。
【００７０】
さらに、第１領域２０ａ、第３転移領域２７または第２領域２０ｂがウォッブルパターンのピットで形成されるとき、ウォッブルの振幅がだんだんと大きくなるか、または小さくなるように形成可能である。
【００７１】
以上、リードイン領域２０が２個の領域に分かれている場合について説明したが、ＢＣＡ  １０、データ領域３０またはリードアウト領域４０が多数個の領域に分けられる場合に、各領域の境界に転移領域が形成可能である。
【００７２】
一方、第１領域２０ａ、第３転移領域２７及び第２領域２０ｂに形成されたトラックのピッチがいずれも同一に形成可能である。または、第１領域２０ａ、第３転移領域２７及び第２領域２０ｂに形成されたトラックのピッチが異なるように形成可能である。例えば、第１領域２０ａと第３転移領域２７のトラックピッチが同一であり、第２領域２０ｂのトラックピッチは異なるように形成可能である。また、第３転移領域２７と第２領域２０ｂのトラックピッチが同一であり、第１領域２０ａのトラックピッチが異なるように形成可能である。また、第１領域２０ａと第２領域２０ｂのトラックピッチが異なるとき、第３転移領域２７のトラックピッチがだんだんと小さくなるか、または大きくなるように形成可能である。言い換えれば、第１領域２０ａでのトラックピッチがｅであり、第２領域２０ｂでのトラックピッチがｆであり、ｅ＜ｆであるとき、第３転移領域２７でのトラックピッチがｅからｆまでだんだんと大きくなるように形成される。
【００７３】
図１３を参照するに、本発明の実施形態による記録／再生システムが示されている。本発明の記録／再生装置は、記録／再生部１００と制御部２００とを備えている。記録／再生部１００は、情報記録媒体である追記型記録媒体３００に／からデータを記録／再生する。
【００７４】
以上にて説明したところにより、本発明による光情報記録媒体は、多数個の領域を含み、多数個の領域間に少なくとも１つの転移領域を備える。例えば、ＢＣＡ  １０とリードイン領域２０との境界領域、リードイン領域２０とデータ領域３０との境界領域及び第１領域２０ａと第２領域２０ｂとの境界領域のうち、少なくともある領域に転移領域を備える。また、前記転移領域のピットパターンは、前記転移領域の前にある領域のピットパターンと同一であるか、または、転移領域の後にあるピットパターンと同一でありうる。ここで、転移領域の前にある領域というのは、記録媒体の半径方向を基に転移領域より内側にある領域を意味する。また、転移領域の後にある領域というのは、記録媒体の半径方向を基に転移領域より外側にある領域を意味する。
【００７５】
一方、本発明は、単層の記録媒体だけでなく多層の記録媒体にも適用されうる。
【産業上の利用可能性】
【００７６】
前述のように、本発明による光情報記録媒体は、機能または目的によって多数個の領域を含み、前記多数個の領域間の境界領域に転移領域を備えることによってデータを円滑に再生させ、データ再生時にエラー発生率を低下させるという利点がある。また、再生専用の光情報記録媒体で、転移領域に対する標準を提示することにより、記録媒体間の互換性を確保することができる。
【００７７】
前記の実施形態は、例示的なものに過ぎず、当技術分野の当業者ならば、それらから多様な変形及び均等な他実施形態が可能であろう。従って、本発明の真の技術的保護範囲は、下記の特許請求の範囲に記載された発明の技術的思想により決まるものである。 
【図面の簡単な説明】
【００７８】
【図１】本発明の実施形態による再生専用の光情報記録媒体の物理的な構造を図示した図である。
【図２Ａ】本発明の第１実施例による光情報記録媒体で、ＢＣＡのピットが単一パターンで形成され、リードイン領域のピットがストレートランダムパターンで形成された場合に、ＢＣＡとリードイン領域との間に備わった転移領域のピットパターンを表した図である。
【図２Ｂ】本発明の第１実施例による光情報記録媒体で、ＢＣＡのピットが単一パターンで形成され、リードイン領域のピットがストレートランダムパターンで形成された場合に、ＢＣＡとリードイン領域との間に備わった転移領域のピットパターンを表した図である。
【図２Ｃ】本発明の第１実施例による光情報記録媒体で、ＢＣＡのピットが単一パターンで形成され、リードイン領域のピットがストレートランダムパターンで形成された場合に、ＢＣＡとリードイン領域との間に備わった転移領域のピットパターンを表した図である。
【図２Ｄ】本発明の第１実施例による光情報記録媒体で、ＢＣＡのピットが単一パターンで形成され、リードイン領域のピットがストレートランダムパターンで形成された場合に、ＢＣＡとリードイン領域との間に備わった転移領域のピットパターンを表した図である。
【図２Ｅ】本発明の第１実施例による光情報記録媒体で、ＢＣＡのピットが単一パターンで形成され、リードイン領域のピットがストレートランダムパターンで形成された場合に、ＢＣＡとリードイン領域との間に備わった転移領域のピットパターンを表した図である。
【図３Ａ】本発明の第１実施例による光情報記録媒体で、ＢＣＡのピットが特定パターンで形成され、リードイン領域のピットがストレートランダムパターンで形成された場合に、ＢＣＡとリードイン領域との間に備わった転移領域のピットパターンを表した図である。
【図３Ｂ】本発明の第１実施例による光情報記録媒体で、ＢＣＡのピットが特定パターンで形成され、リードイン領域のピットがストレートランダムパターンで形成された場合に、ＢＣＡとリードイン領域との間に備わった転移領域のピットパターンを表した図である。
【図３Ｃ】本発明の第１実施例による光情報記録媒体で、ＢＣＡのピットが特定パターンで形成され、リードイン領域のピットがストレートランダムパターンで形成された場合に、ＢＣＡとリードイン領域との間に備わった転移領域のピットパターンを表した図である。
【図３Ｄ】本発明の第１実施例による光情報記録媒体で、ＢＣＡのピットが特定パターンで形成され、リードイン領域のピットがストレートランダムパターンで形成された場合に、ＢＣＡとリードイン領域との間に備わった転移領域のピットパターンを表した図である。
【図３Ｅ】本発明の第１実施例による光情報記録媒体で、ＢＣＡのピットが特定パターンで形成され、リードイン領域のピットがストレートランダムパターンで形成された場合に、ＢＣＡとリードイン領域との間に備わった転移領域のピットパターンを表した図である。
【図４Ａ】本発明の第１実施例による光情報記録媒体で、ＢＣＡのピットがランダムパターンで形成され、リードイン領域のピットがストレートランダムパターンで形成された場合に、ＢＣＡとリードイン領域との間に備わった転移領域のピットパターンを表した図である。
【図４Ｂ】本発明の第１実施例による光情報記録媒体で、ＢＣＡのピットがランダムパターンで形成され、リードイン領域のピットがストレートランダムパターンで形成された場合に、ＢＣＡとリードイン領域との間に備わった転移領域のピットパターンを表した図である。
【図４Ｃ】本発明の第１実施例による光情報記録媒体で、ＢＣＡのピットがランダムパターンで形成され、リードイン領域のピットがストレートランダムパターンで形成された場合に、ＢＣＡとリードイン領域との間に備わった転移領域のピットパターンを表した図である。
【図４Ｄ】本発明の第１実施例による光情報記録媒体で、ＢＣＡのピットがランダムパターンで形成され、リードイン領域のピットがストレートランダムパターンで形成された場合に、ＢＣＡとリードイン領域との間に備わった転移領域のピットパターンを表した図である。
【図４Ｅ】本発明の第１実施例による光情報記録媒体で、ＢＣＡのピットがランダムパターンで形成され、リードイン領域のピットがストレートランダムパターンで形成された場合に、ＢＣＡとリードイン領域との間に備わった転移領域のピットパターンを表した図である。
【図５Ａ】本発明の第１実施例による光情報記録媒体で、ＢＣＡのピットが単一パターンで形成され、リードイン領域のピットがウォッブルランダムパターンで形成された場合に、ＢＣＡとリードイン領域との間に備わった転移領域のピットパターンを表した図である。
【図５Ｂ】本発明の第１実施例による光情報記録媒体で、ＢＣＡのピットが単一パターンで形成され、リードイン領域のピットがウォッブルランダムパターンで形成された場合に、ＢＣＡとリードイン領域との間に備わった転移領域のピットパターンを表した図である。
【図５Ｃ】本発明の第１実施例による光情報記録媒体で、ＢＣＡのピットが単一パターンで形成され、リードイン領域のピットがウォッブルランダムパターンで形成された場合に、ＢＣＡとリードイン領域との間に備わった転移領域のピットパターンを表した図である。
【図５Ｄ】本発明の第１実施例による光情報記録媒体で、ＢＣＡのピットが単一パターンで形成され、リードイン領域のピットがウォッブルランダムパターンで形成された場合に、ＢＣＡとリードイン領域との間に備わった転移領域のピットパターンを表した図である。
【図５Ｅ】本発明の第１実施例による光情報記録媒体で、ＢＣＡのピットが単一パターンで形成され、リードイン領域のピットがウォッブルランダムパターンで形成された場合に、ＢＣＡとリードイン領域との間に備わった転移領域のピットパターンを表した図である。
【図６Ａ】本発明の第１実施例による光情報記録媒体で、ＢＣＡのピットが特定パターンで形成され、リードイン領域のピットがウォッブルランダムパターンで形成された場合に、ＢＣＡとリードイン領域との間に備わった転移領域のピットパターンを表した図である。
【図６Ｂ】本発明の第１実施例による光情報記録媒体で、ＢＣＡのピットが特定パターンで形成され、リードイン領域のピットがウォッブルランダムパターンで形成された場合に、ＢＣＡとリードイン領域との間に備わった転移領域のピットパターンを表した図である。
【図６Ｃ】本発明の第１実施例による光情報記録媒体で、ＢＣＡのピットが特定パターンで形成され、リードイン領域のピットがウォッブルランダムパターンで形成された場合に、ＢＣＡとリードイン領域との間に備わった転移領域のピットパターンを表した図である。
【図６Ｄ】本発明の第１実施例による光情報記録媒体で、ＢＣＡのピットが特定パターンで形成され、リードイン領域のピットがウォッブルランダムパターンで形成された場合に、ＢＣＡとリードイン領域との間に備わった転移領域のピットパターンを表した図である。
【図６Ｅ】本発明の第１実施例による光情報記録媒体で、ＢＣＡのピットが特定パターンで形成され、リードイン領域のピットがウォッブルランダムパターンで形成された場合に、ＢＣＡとリードイン領域との間に備わった転移領域のピットパターンを表した図である。
【図７Ａ】本発明の第１実施例による光情報記録媒体で、ＢＣＡのピットがランダムパターンで形成され、リードイン領域のピットがウォッブルランダムパターンで形成された場合に、ＢＣＡとリードイン領域との間に備わった転移領域のピットパターンを表した図である。
【図７Ｂ】本発明の第１実施例による光情報記録媒体で、ＢＣＡのピットがランダムパターンで形成され、リードイン領域のピットがウォッブルランダムパターンで形成された場合に、ＢＣＡとリードイン領域との間に備わった転移領域のピットパターンを表した図である。
【図７Ｃ】本発明の第１実施例による光情報記録媒体で、ＢＣＡのピットがランダムパターンで形成され、リードイン領域のピットがウォッブルランダムパターンで形成された場合に、ＢＣＡとリードイン領域との間に備わった転移領域のピットパターンを表した図である。
【図７Ｄ】本発明の第１実施例による光情報記録媒体で、ＢＣＡのピットがランダムパターンで形成され、リードイン領域のピットがウォッブルランダムパターンで形成された場合に、ＢＣＡとリードイン領域との間に備わった転移領域のピットパターンを表した図である。
【図７Ｅ】本発明の第１実施例による光情報記録媒体で、ＢＣＡのピットがランダムパターンで形成され、リードイン領域のピットがウォッブルランダムパターンで形成された場合に、ＢＣＡとリードイン領域との間に備わった転移領域のピットパターンを表した図である。
【図７Ｆ】本発明の第１実施例による光情報記録媒体で、ＢＣＡのピットがランダムパターンで形成され、リードイン領域のピットがウォッブルランダムパターンで形成された場合に、ＢＣＡとリードイン領域との間に備わった転移領域のピットパターンを表した図である。
【図８Ａ】本発明の第２実施例による光情報記録媒体で、リードイン領域のピットがストレートランダムパターンで形成され、ユーザデータ領域のピットがストレートランダムパターンで形成された場合に、リードイン領域とユーザデータ領域との間に備わった転移領域のピットパターンを表した図である。
【図８Ｂ】本発明の第２実施例による光情報記録媒体で、リードイン領域のピットがストレートランダムパターンで形成され、ユーザデータ領域のピットがストレートランダムパターンで形成された場合に、リードイン領域とユーザデータ領域との間に備わった転移領域のピットパターンを表した図である。
【図８Ｃ】本発明の第２実施例による光情報記録媒体で、リードイン領域のピットがストレートランダムパターンで形成され、ユーザデータ領域のピットがストレートランダムパターンで形成された場合に、リードイン領域とユーザデータ領域との間に備わった転移領域のピットパターンを表した図である。
【図８Ｄ】本発明の第２実施例による光情報記録媒体で、リードイン領域のピットがストレートランダムパターンで形成され、ユーザデータ領域のピットがストレートランダムパターンで形成された場合に、リードイン領域とユーザデータ領域との間に備わった転移領域のピットパターンを表した図である。
【図８Ｅ】本発明の第２実施例による光情報記録媒体で、リードイン領域のピットがストレートランダムパターンで形成され、ユーザデータ領域のピットがストレートランダムパターンで形成された場合に、リードイン領域とユーザデータ領域との間に備わった転移領域のピットパターンを表した図である。
【図８Ｆ】本発明の第２実施例による光情報記録媒体で、リードイン領域のピットがストレートランダムパターンで形成され、ユーザデータ領域のピットがストレートランダムパターンで形成された場合に、リードイン領域とユーザデータ領域との間に備わった転移領域のピットパターンを表した図である。
【図９Ａ】本発明の第２実施例による光情報記録媒体で、リードイン領域のピットがウォッブルランダムパターンで形成され、ユーザデータ領域のピットがストレートランダムパターンで形成された場合に、リードイン領域とユーザデータ領域との間に備わった転移領域のピットパターンを表した図である。
【図９Ｂ】本発明の第２実施例による光情報記録媒体で、リードイン領域のピットがウォッブルランダムパターンで形成され、ユーザデータ領域のピットがストレートランダムパターンで形成された場合に、リードイン領域とユーザデータ領域との間に備わった転移領域のピットパターンを表した図である。
【図９Ｃ】本発明の第２実施例による光情報記録媒体で、リードイン領域のピットがウォッブルランダムパターンで形成され、ユーザデータ領域のピットがストレートランダムパターンで形成された場合に、リードイン領域とユーザデータ領域との間に備わった転移領域のピットパターンを表した図である。
【図９Ｄ】本発明の第２実施例による光情報記録媒体で、リードイン領域のピットがウォッブルランダムパターンで形成され、ユーザデータ領域のピットがストレートランダムパターンで形成された場合に、リードイン領域とユーザデータ領域との間に備わった転移領域のピットパターンを表した図である。
【図９Ｅ】本発明の第２実施例による光情報記録媒体で、リードイン領域のピットがウォッブルランダムパターンで形成され、ユーザデータ領域のピットがストレートランダムパターンで形成された場合に、リードイン領域とユーザデータ領域との間に備わった転移領域のピットパターンを表した図である。
【図９Ｆ】本発明の第２実施例による光情報記録媒体で、リードイン領域のピットがウォッブルランダムパターンで形成され、ユーザデータ領域のピットがストレートランダムパターンで形成された場合に、リードイン領域とユーザデータ領域との間に備わった転移領域のピットパターンを表した図である。
【図１０Ａ】本発明の第２実施例による光情報記録媒体で、リードイン領域のピットがストレートランダムパターンで形成され、ユーザデータ領域のピットがウォッブルランダムパターンで形成された場合に、リードイン領域とユーザデータ領域との間に備わった転移領域のピットパターンを表した図である。
【図１０Ｂ】本発明の第２実施例による光情報記録媒体で、リードイン領域のピットがストレートランダムパターンで形成され、ユーザデータ領域のピットがウォッブルランダムパターンで形成された場合に、リードイン領域とユーザデータ領域との間に備わった転移領域のピットパターンを表した図である。
【図１０Ｃ】本発明の第２実施例による光情報記録媒体で、リードイン領域のピットがストレートランダムパターンで形成され、ユーザデータ領域のピットがウォッブルランダムパターンで形成された場合に、リードイン領域とユーザデータ領域との間に備わった転移領域のピットパターンを表した図である。
【図１０Ｄ】本発明の第２実施例による光情報記録媒体で、リードイン領域のピットがストレートランダムパターンで形成され、ユーザデータ領域のピットがウォッブルランダムパターンで形成された場合に、リードイン領域とユーザデータ領域との間に備わった転移領域のピットパターンを表した図である。
【図１０Ｅ】本発明の第２実施例による光情報記録媒体で、リードイン領域のピットがストレートランダムパターンで形成され、ユーザデータ領域のピットがウォッブルランダムパターンで形成された場合に、リードイン領域とユーザデータ領域との間に備わった転移領域のピットパターンを表した図である。
【図１０Ｆ】本発明の第２実施例による光情報記録媒体で、リードイン領域のピットがストレートランダムパターンで形成され、ユーザデータ領域のピットがウォッブルランダムパターンで形成された場合に、リードイン領域とユーザデータ領域との間に備わった転移領域のピットパターンを表した図である。
【図１１】本発明の第３実施例による光情報記録媒体の物理的構造を表した図である。
【図１２Ａ】本発明の第３実施例による光情報記録媒体で、リードの第１領域のピットがランダムパターンで形成され、リードの第２領域のピットがウォッブルランダムパターンで形成された場合に、ＢＣＡとリードイン領域との間に備わった転移領域のピットパターンを表した図である。
【図１２Ｂ】本発明の第３実施例による光情報記録媒体で、リードの第１領域のピットがランダムパターンで形成され、リードの第２領域のピットがウォッブルランダムパターンで形成された場合に、ＢＣＡとリードイン領域との間に備わった転移領域のピットパターンを表した図である。
【図１２Ｃ】本発明の第３実施例による光情報記録媒体で、リードの第１領域のピットがランダムパターンで形成され、リードの第２領域のピットがウォッブルランダムパターンで形成された場合に、ＢＣＡとリードイン領域との間に備わった転移領域のピットパターンを表した図である。
【図１２Ｄ】本発明の第３実施例による光情報記録媒体で、リードの第１領域のピットがランダムパターンで形成され、リードの第２領域のピットがウォッブルランダムパターンで形成された場合に、ＢＣＡとリードイン領域との間に備わった転移領域のピットパターンを表した図である。
【図１２Ｅ】本発明の第３実施例による光情報記録媒体で、リードの第１領域のピットがランダムパターンで形成され、リードの第２領域のピットがウォッブルランダムパターンで形成された場合に、ＢＣＡとリードイン領域との間に備わった転移領域のピットパターンを表した図である。
【図１２Ｆ】本発明の第３実施例による光情報記録媒体で、リードの第１領域のピットがランダムパターンで形成され、リードの第２領域のピットがウォッブルランダムパターンで形成された場合に、ＢＣＡとリードイン領域との間に備わった転移領域のピットパターンを表した図である。
【図１３】本発明の実施形態による記録／再生システムのブロック図である。
【符号の説明】
【００７９】
１０    ＢＣＡ（バーストカッティングエリア）
１５    第１転移領域
２０    リードイン領域
２０ａ  第１領域
２０ｂ  第２領域
２５    第２転移領域
２７    第３転移領域
３０    データ領域
４０    リードアウト領域
１００  記録／再生部
２００  制御部
３００  追記型記録媒体
【図１】
2008159258.tif 000003
【図２Ａ】
2008159258.tif 000004
【図２Ｂ】
2008159258.tif 000005
【図２Ｃ】
2008159258.tif 000006
【図２Ｄ】
2008159258.tif 000007
【図２Ｅ】
2008159258.tif 000008
【図３Ａ】
2008159258.tif 000009
【図３Ｂ】
2008159258.tif 000010
【図３Ｃ】
2008159258.tif 000011
【図３Ｄ】
2008159258.tif 000012
【図３Ｅ】
2008159258.tif 000013
【図４Ａ】
2008159258.tif 000014
【図４Ｂ】
2008159258.tif 000015
【図４Ｃ】
2008159258.tif 000016
【図４Ｄ】
2008159258.tif 000017
【図４Ｅ】
2008159258.tif 000018
【図５Ａ】
2008159258.tif 000019
【図５Ｂ】
2008159258.tif 000020
【図５Ｃ】
2008159258.tif 000021
【図５Ｄ】
2008159258.tif 000022
【図５Ｅ】
2008159258.tif 000023
【図６Ａ】
2008159258.tif 000024
【図６Ｂ】
2008159258.tif 000025
【図６Ｃ】
2008159258.tif 000026
【図６Ｄ】
2008159258.tif 000027
【図６Ｅ】
2008159258.tif 000028
【図７Ａ】
2008159258.tif 000029
【図７Ｂ】
2008159258.tif 000030
【図７Ｃ】
2008159258.tif 000031
【図７Ｄ】
2008159258.tif 000032
【図７Ｅ】
2008159258.tif 000033
【図７Ｆ】
2008159258.tif 000034
【図８Ａ】
2008159258.tif 000035
【図８Ｂ】
2008159258.tif 000036
【図８Ｃ】
2008159258.tif 000037
【図８Ｄ】
2008159258.tif 000038
【図８Ｅ】
2008159258.tif 000039
【図８Ｆ】
2008159258.tif 000040
【図９Ａ】
2008159258.tif 000041
【図９Ｂ】
2008159258.tif 000042
【図９Ｃ】
2008159258.tif 000043
【図９Ｄ】
2008159258.tif 000044
【図９Ｅ】
2008159258.tif 000045
【図９Ｆ】
2008159258.tif 000046
【図１０Ａ】
2008159258.tif 000047
【図１０Ｂ】
2008159258.tif 000048
【図１０Ｃ】
2008159258.tif 000049
【図１０Ｄ】
2008159258.tif 000050
【図１０Ｅ】
2008159258.tif 000051
【図１０Ｆ】
2008159258.tif 000052
【図１１】
2008159258.tif 000053
【図１２Ａ】
2008159258.tif 000054
【図１２Ｂ】
2008159258.tif 000055
【図１２Ｃ】
2008159258.tif 000056
【図１２Ｄ】
2008159258.tif 000057
【図１２Ｅ】
2008159258.tif 000058
【図１２Ｆ】
2008159258.tif 000059
【図１３】
2008159258.tif 000060